(57)【要約】  本発明は呼び出し転送方法、装置及び端末に関わり、通信技術分野に属する。前記方法は、着信を受信したがどうか検出し、着信を検出したとき、着信転送オプションを含む着信インタフェースを表示し、着信転送オプションが選択されると、着信を指定番号に対応する端末設備に転送することを含む。本発明は、着信を受信したがどうか検出することを通じて、着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。【選択図】        図１
2016535527.tif 000002
【特許請求の範囲】
【請求項１】
着信を受信したかどうか検出し、
着信を検出した場合、着信転送オプションを含む着信インタフェースを表示し、
前記着信転送オプションが選択されると、前記着信を指定番号に対応する端末設備に転送することを含むことを特徴とする呼び出し転送方法。
【請求項２】
請求項１に記載の方法であって、
前記着信を指定番号に対応する端末設備に転送する前に、更に、
番号入力ボックスを含む指定番号取得インタフェースを表示し、
ユーザが前記指定番号取得インタフェースにおける番号入力ボックスに入力した番号を取得し、ユーザが入力した番号をユーザが確定した指定番号にすることを含むことを特徴とする呼び出し転送方法。
【請求項３】
請求項１に記載の方法であって、
前記着信を指定番号に対応する端末設備に転送する前に、更に、
一つから複数に至る所定番号を含む指定番号取得インタフェースを表示し、
ユーザが前記指定番号取得インタフェースに表示されている所定番号から選択した番号を検出し、ユーザが選択した番号をユーザが確定した指定番号にすることを含むことを特徴とする呼び出し転送方法。
【請求項４】
請求項３に記載の方法であって、
前記指定番号取得インタフェースを表示する前に、更に、
ユーザが設置した一つから複数に至る所定番号を取得することを含み、
前記指定番号取得インタフェースを表示するステップには、
前記一つから複数に至る所定番号を含む指定番号取得インタフェースを表示することが含まれることを特徴とする呼び出し転送方法。
【請求項５】
請求項４に記載の方法であって、
前記ユーザが設置した一つから複数に至る所定番号を取得するステップには、
所定番号入力ボックスを表示し、ユーザが前記所定番号入力ボックスに入力した所定番号を取得し、
又は、連絡帳に含まれている番号を表示し、ユーザが前記連絡帳に含まれている番号から選択した番号を所定番号にすることが含まれることを特徴とする呼び出し転送方法。
【請求項６】
着信を受信したかどうか検出するための第一検出モジュールと、
着信を検出したとき、着信転送オプションを含む着信インタフェースを表示するための第一表示モジュールと、
前記着信転送オプションが選択されると、前記着信を前記指定番号に対応する端末設備に転送するための転送モジュールとを備えることを特徴とする呼び出し転送装置。
【請求項７】
請求項６に記載の装置であって、更に、
番号入力ボックスが含まれる指定番号取得インタフェースを表示するための第二表示モジュールと、
ユーザが前記指定番号取得インタフェースにおける番号入力ボックスに入力した番号を取得し、ユーザが入力した番号をユーザが確定した指定番号にするための第一取得モジュールとを備えることを特徴とする呼び出し転送装置。
【請求項８】
請求項６に記載の装置であって、更に、
一つから複数に至る所定番号を含む指定番号取得インタフェースを表示するための第三表示モジュールと、
ユーザが前記指定番号取得インタフェースに表示されている所定番号から選択した番号を検出し、ユーザが選択した番号をユーザが確定した指定番号にするための第二検出モジュールとを備えることを特徴とする呼び出し転送装置。
【請求項９】
請求項８に記載の装置であって、更に、
ユーザが設置した一つから複数に至る所定番号を取得するための第二取得モジュールを備え、
前記第三表示モジュールは、前記一つから複数に至る所定番号を含む指定番号取得インタフェースを表示することを特徴とする呼び出し転送装置。
【請求項１０】
請求項９に記載の装置であって、
前記第二取得モジュールは、
所定番号入力ボックスを表示し、ユーザが前記所定番号入力ボックスに入力した所定番号を取得し、又は、
連絡帳に含まれている番号を表示し、ユーザが前記連絡帳に含まれている番号から選択した番号を所定番号にすることを特徴とする呼び出し転送装置。
【請求項１１】
呼び出し転送端末であって、
プロセッサと、
プロセッサが実行可能なコマンドを記憶するためのメモリとを備え、
ここで、前記プロセッサは、
着信を受信したかどうか検出し、
着信を検出した場合、着信転送オプションを含む着信インタフェースを表示し、
前記着信転送オプションが選択されると、前記着信を指定番号に対応する端末設備に転送するように配置されることを特徴とする呼び出し転送端末。
【発明の詳細な説明】
【技術分野】
【０００１】
本願は出願番号が２０１４１０３６６０２９．１であり、出願日が２０１４年７月２９日である中国特許出願に基づくものであり、当該中国特許出願の優先権を主張する。当該中国特許出願の全ての内容は参照として本願で引用する。
【０００２】
本発明は通信技術分野に関わり、特に呼び出し転送方法、装置及び端末に関わる。
【背景技術】
【０００３】
通信技術の発展に伴い、益々多くの人が携帯電話などの端末設備を使って通信を行うようになった。電話に出られないときに、ユーザが着信をタイムリーに処理できるようにするために、端末設備において如何に呼び出しを転送するかは、ユーザの通信体験を高めるかなめである。
【０００４】
関連技術において呼び出し転送の方法が提供され、該方法において呼び出し転送機能を予めオンにしておいた場合、着信があったとき、現在通話中である、又は一定時間において電話に出ないなどの呼び出し転送の条件を満たしている場合、いずれも自動的に着信の呼び出しを転送する。
【発明の概要】
【発明が解決しようとする課題】
【０００５】
本発明を実現する過程において、発明者は当該技術には少なくとも以下のような問題が存在することに気がついた。
【０００６】
呼び出し転送機能を予めオンにしたため、着信を受信したとき、呼び出し転送の条件を満たす場合、自動的に呼び出しを転送する。しかし、ユーザが何れかの原因で一時電話に出られない可能性があるので、既存の呼び出し転送方法はスマートでなく、柔軟性が低く、呼び出し転送の効果が思わしくない。
【課題を解決するための手段】
【０００７】
関連技術に存在する問題を解決するために、本発明は呼び出し転送方法及び装置を提供する。
【０００８】
本発明の実施例の第一の態様によれば、呼び出し転送方法であって、前記方法は、
着信を受信したかどうか検出し、
着信を検出した場合、着信転送オプションを含む着信インタフェースを表示し、
前記着信転送オプションが選択されると、前記着信を前記指定番号に対応する端末設備に転送することを含む呼び出し転送方法が提供される。
【０００９】
第一の態様と組み合わせられる、第一の態様の第一の可能な実現形態においては、前記着信を指定番号に対応する端末設備に転送する前に、更に、
指定番号取得インタフェースを表示し、ここで、前記指定番号取得インタフェースには番号入力ボックスが含まれ、
ユーザが前記指定番号取得インタフェースにおける番号入力ボックスに入力した番号を取得し、ユーザが入力した番号をユーザが確定した指定番号にすることを含む。
【００１０】
第一の態様と組み合わせられる、第一の態様の第二の可能な実現形態においては、前記着信を指定番号に対応する端末設備に転送する前に、更に、
指定番号取得インタフェースを表示し、ここで、前記指定番号取得インタフェースには一つから複数に至る所定番号が含まれ、
ユーザが前記指定番号取得インタフェースに表示されている所定番号から選択した番号を検出し、ユーザが選択した番号をユーザが確定した指定番号にすることを含む。
【００１１】
第一の態様の第二の可能な実現形態と組み合わせられる、第一の態様の第三の可能な実現形態においては、前記指定番号取得インタフェースを表示する前に、更に、
ユーザが設置した一つから複数に至る所定番号を取得することを含み、
前記指定番号取得インタフェースを表示するステップには、
前記一つから複数に至る所定番号を含む指定番号取得インタフェースを表示することが含まれる。
【００１２】
第一の態様の第三の可能な実現形態と組み合わせられる、第一の態様の第四の可能な実現形態においては、前記ユーザが設置した一つから複数に至る所定番号を取得するステップには、
所定番号入力ボックスを表示し、ユーザが前記所定番号入力ボックスに入力した所定番号を取得し、
又は、連絡帳に含まれている番号を表示し、ユーザが前記連絡帳に含まれている番号から選択した番号を、所定番号にすることが含まれる。
【００１３】
本発明の実施例の第二の態様によれば、呼び出し転送装置であって、前記装置は、
着信を受信したかどうか検出するための第一検出モジュールと、
着信を検出したとき、着信転送オプションを含む着信インタフェースを表示するための第一表示モジュールと、
前記着信転送オプションが選択されると、前記着信を前記指定番号に対応する端末設備に転送するための転送モジュールとを備える呼び出し転送装置が提供される。
【００１４】
第二の態様と組み合わせられる、第二の態様の第一の可能な実現形態においては、前記装置は更に、
番号入力ボックスが含まれる指定番号取得インタフェースを表示するための第二表示モジュールと、
ユーザが前記指定番号取得インタフェースにおける番号入力ボックスに入力した番号を取得し、ユーザが入力した番号をユーザが確定した指定番号にするための第一取得モジュールとを備えている。
【００１５】
第二の態様と組み合わせられる、第二の態様の第二の可能な実現形態においては、前記装置は更に、
一つから複数に至る所定番号が含まれる指定番号取得インタフェースを表示するための第三表示モジュールと、
ユーザが前記指定番号取得インタフェースに表示されている所定番号から選択した番号を検出し、ユーザが選択した番号をユーザが確定した指定番号にするための第二検出モジュールとを備えている。
【００１６】
第二の態様の第二の可能な実現形態と組み合わせられる、第二の態様の第三の可能な実現形態においては、前記装置は更に、
ユーザが設置した一つから複数に至る所定番号を取得するための第二取得モジュールと、
前記一つから複数に至る所定番号を含む指定番号取得インタフェースを表示するための前記第三表示モジュールとを備えている。
【００１７】
第二の態様の第三の可能な実現形態と組み合わせられる、第二の態様の第四の可能な実現形態においては、前記第二取得モジュールは、所定番号入力ボックスを表示し、ユーザが前記所定番号入力ボックスに入力した所定番号を取得し、又は、連絡帳に含まれている番号を表示し、ユーザが前記連絡帳に含まれている番号から選択した番号を所定番号にする。
【００１８】
本発明の実施例の第三の態様によれば、呼び出し転送端末であって、前記端末は、
プロセッサと、
プロセッサが実行可能なコマンドを記憶するためのメモリとを備え、
ここで、前記プロセッサは、
着信を受信したかどうか検出し、
着信を検出した場合、着信転送オプションを含む着信インタフェースを表示し、
前記着信転送オプションが選択されると、前記着信を指定番号に対応する端末設備に転送するように配置される呼び出し転送端末が提供される。
【００１９】
本発明の実施例が提供する技術方案は下記のような有益な効果をもたらした。
【００２０】
着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。
【００２１】
また、一般的な説明及び以下の詳細な説明は単なる例示及び解釈に過ぎず、本発明を限定するものではないことを理解すべきである。
【図面の簡単な説明】
【００２２】
ここでの図面は明細書に取り込まれて本明細書の一部を構成し、本発明に合致する実施例を示し、また、明細書と共に本発明の原理の解釈に用いられる。
【図１】一つの例示的な実施例にかかる呼び出し転送方法のフローチャートである。
【図２】一つの例示的な実施例にかかる呼び出し転送方法のフローチャートである。
【図３】一つの例示的な実施例にかかる着信インタフェースの説明図である。
【図４】一つの例示的な実施例にかかる着信インタフェースの説明図である。
【図５】一つの例示的な実施例にかかる呼び出し転送方法のフローチャートである。
【図６】一つの例示的な実施例にかかる指定番号取得インタフェースの説明図である。
【図７】一つの例示的な実施例にかかる所定番号の取得インタフェースの説明図である。
【図８】一つの例示的な実施例にかかる所定番号の取得インタフェースの説明図である。
【図９】一つの例示的な実施例にかかる呼び出し転送装置のブロック図である。
【図１０】一つの例示的な実施例にかかる呼び出し転送装置のブロック図である。
【図１１】一つの例示的な実施例にかかる呼び出し転送装置のブロック図である。
【図１２】一つの例示的な実施例にかかる呼び出し転送装置のブロック図である。
【図１３】一つの例示的な実施例にかかる端末のブロック図である。
【発明を実施するための形態】
【００２３】
ここでは例示的な実施例について詳細な説明を行う。このような例示は図面に表される。以下における説明が図面に関わるとき、特に示さない限り、異なる図面における同じ数字は同じ又は類似の要素を表す。以下の例示的な実施例において説明される実施形態は本発明と相一致する全ての実施形態を代表するものではない。これらは特許請求の範囲において詳述した、本発明の一部と相一致する装置と方法の例等に過ぎない。
【００２４】
図１は一つの例示的な実施例にかかる呼び出し転送方法のフローチャートである。該呼び出し転送方法は、通話が可能な端末に適用される。図１に示すように、該呼び出し転送方法は以下のようなステップを含む。
【００２５】
ステップ１０１において、着信を受信したかどうか検出し、
ステップ１０２において、着信を検出した場合、着信転送オプションを含む着信インタフェースを表示し、
ステップ１０３において、着信転送オプションが選択されると、着信を指定番号に対応する端末設備に転送する。
【００２６】
選択可能な実施例において、着信を指定番号に対応する端末設備に転送する前に、更に、
指定番号取得インタフェースを表示し、ここで、指定番号取得インタフェースには番号入力ボックスが含まれ、
ユーザが指定番号取得インタフェースにおける番号入力ボックスに入力した番号を取得し、ユーザが入力した番号をユーザが確定した指定番号にすることを含む。
【００２７】
また選択可能な実施例において、着信を指定番号に対応する端末設備に転送する前に、更に、
指定番号取得インタフェースを表示し、ここで、指定番号取得インタフェースには一つから複数に至る所定番号が含まれ、
ユーザが指定番号取得インタフェースに表示されている所定番号から選択した番号を検出し、ユーザが選択した番号をユーザが確定した指定番号にすることを含む。
【００２８】
また、選択可能な実施例において、指定番号取得インタフェースを表示する前に、更に、
ユーザが設置した一つから複数に至る所定番号を取得することを含み、
指定番号取得インタフェースを表示するステップには、
一つから複数に至る所定番号を含む指定番号取得インタフェースを表示することが含まれる。
【００２９】
また、選択可能な実施例において、ユーザが設置した一つから複数に至る所定番号を取得するステップには、
所定番号入力ボックスを表示し、ユーザが所定番号入力ボックスに入力した所定番号を取得する、
又は、連絡帳に含まれている番号を表示し、ユーザが連絡帳に含まれている番号から選択した番号を所定番号にすることが含まれる。
【００３０】
本発明の実施例が提供する方法は、着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。
【００３１】
図２は一つの例示的な実施例にかかる呼び出し転送方法のフローチャートである。図２に示すように、該呼び出し転送方法は、通話が可能な端末に適用されており、以下のようなステップを含む。
【００３２】
ステップ２０１において、着信を受信したかどうか検出する。
【００３３】
本実施例は着信を受信したかどうか検出する方法について具体的に限定せず、端末に合わせて使用する無線通信技術、及び端末内の通信モジュールで検出することが含まれるが、これに限定されない。
【００３４】
ステップ２０２において、着信を検出した場合、着信転送オプションを含む着信インタフェースを表示する。
【００３５】
本実施例において、着信インタフェースに表示される内容について限定せず、応答オプション、拒否オプション及び着信転送オプションが含まれるが、これに限定されない。選択的に、誰からの着信であるかユーザが分かるようにするため、端末は検出した着信に基づいて、対応する連絡先を確定し、これにより、着信インタフェースにおいて着信の連絡先情報を表示することができるが、本実施例はこれについて具体的に限定しない。
【００３６】
例えば、図３に示すように、図３にはインタフェースの一番上に着信の連絡先情報を表示している。また、インタフェースの一番下に応答オプション、拒否オプション及び着信転送オプションを表示している。ユーザは図３に示される三つのオプションをクリックすることで、異なる操作を行うことができ、本実施例はこれについて具体的に限定しない。例えば、ユーザが応答オプションをクリックした場合は電話に出ることができ、ユーザが拒否オプションをクリックした場合は電話を拒否することができ、またユーザが着信転送オプションをクリックした場合は着信の呼び出しを転送することができる。
【００３７】
ステップ２０３において、着信転送オプションが選択されると、指定番号取得インタフェースを表示し、ここで、指定番号取得インタフェースには番号入力ボックスが含まれている。
【００３８】
上述したステップ２０２を通じて、着信転送オプションを含む着信インタフェースを表示した場合、着信インタフェースには着信転送オプションが含まれているため、ユーザは着信転送オプションを選択して着信の呼び出しを転送することができる。着信転送オプションが選択されたことを検出した場合、端末は指定番号取得インタフェースを表示することができる。ここで、指定番号取得インタフェースは番号入力ボックスを含むことができる。勿論、指定番号取得インタフェースはその他の内容を含むこともでき、本実施例はこれについて具体的に限定しない。
【００３９】
例えば、図４に示すように、図４に示した指定番号取得インタフェースには、番号入力ボックス、確定オプション及び取り消しオプションが含まれている。
【００４０】
ステップ２０４において、ユーザが指定番号取得インタフェースにおける番号入力ボックスに入力した番号を取得し、ユーザが入力した番号をユーザが確定した指定番号にする。
【００４１】
本実施例は、ユーザが指定番号取得インタフェースにおける番号入力ボックスに入力した番号を取得する方法について具体的に限定せず、ユーザが指定番号取得インタフェースにおける番号入力ボックスに指定番号を入力し、確定オプションをクリックしたことを検出した場合、ユーザが入力した指定番号を取得することが含まれるが、これに限定されない。また、ユーザが入力した指定番号を取得した場合、ユーザが入力した番号をユーザが確定した指定番号にすることができ、本実施例はこれについて具体的に限定しない。
【００４２】
ステップ２０５において、着信を指定番号に対応する端末設備に転送する。
【００４３】
本実施例は着信を指定番号に対応する端末設備に転送する方法について具体的に限定せず、指定番号に基づいて対応する端末設備を確定して、着信を指定番号に対応する端末設備に転送し、対応する端末設備を使用するユーザが電話に出るかどうか選択することが含まれるが、これに限定されない。ここで、着信を指定番号に対応する端末設備に転送した場合、対応する端末設備を使用するユーザは電話に出ることを選択するか、又は拒否することを選択することもできる。勿論、呼び出し転送を選択することもでき、本実施例はこれについて具体的に限定しない。具体的な実現プロセスは、本実施例の上述したステップの内容を参考にすることができ、ここでは繰り返し説明しない。
【００４４】
本発明の実施例が提供する方法は、着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。
【００４５】
図５は一つの例示的な実施例にかかる呼び出し転送方法のフローチャートである。図５に示すように、該呼び出し転送方法は通話が可能な端末に適用されており、該呼び出し転送方法は以下のようなステップを含む。
【００４６】
ステップ３０１において、着信を受信したかどうか検出する。
【００４７】
本実施例は着信を受信したかどうか検出する方法について具体的に限定せず、具体的なプロセスは上述した図２に対応する実施例のステップ２０１の内容を参考にすることができ、ここでは繰り返し説明しない。
【００４８】
ステップ３０２において、着信を検出した場合、着信転送オプションを含む着信インタフェースを表示する。
【００４９】
本実施例は、着信転送オプションを含む着信インタフェースを表示する方法について具体的に限定せず、具体的なプロセスは上述した図２に対応する実施例のステップ２０２の内容を参考にすることができ、ここでは繰り返し説明しない。
【００５０】
ステップ３０３において、着信転送オプションが選択されると、指定番号取得インタフェースを表示し、ここで、指定番号取得インタフェースには一つから複数に至る所定番号が含まれている。
【００５１】
上述したステップ３０２を通じて、着信転送オプションを含む着信インタフェースを表示した場合、着信インタフェースには着信転送オプションが含まれているため、ユーザは着信転送オプションを選択して着信の呼び出しを転送することができる。着信転送オプションが選択されたことを検出した場合、端末は指定番号取得インタフェースを表示することができる。本実施例では、指定番号取得インタフェースを表示する方法について具体的に限定せず、ユーザが設置した一つから複数に至る所定番号を取得し、一つから複数に至る所定番号を含む指定番号取得インタフェースを表示することが含まれるが、これに限定されない。ここで、指定番号取得インタフェースは、一つから複数に至る所定番号以外にもその他の内容を含むこともでき、本実施例はこれについて具体的に限定しない。
【００５２】
例えば、図６に示すように、図６に示した指定番号取得インタフェースはリスト形式で表示する一つから複数に至る所定番号を含む。
【００５３】
また、ユーザが設置した一つから複数に至る所定番号を取得する方法について、本実施例は具体的に限定せず、以下のような二つの取得方法が含まれるが、これに限定されない。
【００５４】
第一の取得方法は、所定番号入力ボックスを表示し、ユーザが所定番号入力ボックスに入力した所定番号を取得する方法である。
【００５５】
例えば図７に示すように、第一の取得方法は、端末に所定番号取得インタフェースを表示する。ここで、表示される所定番号取得インタフェースには、所定番号入力ボックスが含まれ、ユーザは所定番号入力ボックスに所定番号を入力することができる。
【００５６】
第二の取得方法は、連絡帳に含まれている番号を表示し、ユーザが連絡帳に含まれている番号から選択した番号を所定番号にする方法である。
【００５７】
図８に示すように、第二の取得方法にも、端末に所定番号取得インタフェースを表示する。所定番号取得インタフェースの中央に連絡帳の全ての番号を表示し、ユーザは連絡帳の全ての番号の中から選択することができ、これにより、端末はユーザが選択した番号を所定番号にすることができる。
【００５８】
ステップ３０４において、ユーザが指定番号取得インタフェースに表示されている所定番号から選択した番号を検出し、ユーザが選択した番号をユーザが確定した指定番号にする。
【００５９】
指定番号取得インタフェースに表示される所定番号はリスト形式で表示することができるため、それぞれのリスト項目がいずれも一つの所定番号に対応する。従って、ユーザが指定番号取得インタフェースに表示されている所定番号から選択した番号を検出する方法について、本実施例は具体的に限定せず、ユーザがクリックしたリスト項目を検出し、検出した、ユーザがクリックしたリスト項目に対応する所定番号を、ユーザが選択した番号にすることが含まれるが、これに限定されない。ユーザが指定番号取得インタフェースに表示されている所定番号から選択した番号を検出した場合、ユーザが選択した番号をユーザが確定した指定番号にすることができる。
【００６０】
ステップ３０５において、着信を指定番号に対応する端末設備に転送する。
【００６１】
本実施例は着信を指定番号に対応する端末設備に転送する方法について具体的に限定せず、具体的なプロセスは上述した図２に対応する実施例のステップ２０５の内容を参考にすることができ、ここでは繰り返し説明しない。
【００６２】
本発明の実施例が提供する方法は、着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。
【００６３】
図９は一つの例示的な実施例にかかる呼び出し転送装置のブロック図で、該装置は通話が可能な端末に適用されており、該装置は上述した図１、図２及び図５に対応する実施例のいずれか一つの実施例が提供する呼び出し転送方法の実行に用いることができる。図９に示すように、該装置は第一検出モジュール４０１、第一表示モジュール４０２及び転送モジュール４０３を備えている。
【００６４】
該第一検出モジュール４０１は、着信を受信したかどうか検出するように配置され、
該第一表示モジュール４０２は、着信を検出した場合、着信転送オプションを含む着信インタフェースを表示するように配置され、
該転送モジュール４０３は、着信を指定番号に対応する端末設備に転送するように配置されている。
【００６５】
一つの選択可能な実施例において、図１０に示すように、該装置は更に第二表示モジュール４０４と第一取得モジュール４０５とを備えている。
【００６６】
該第二表示モジュール４０４は、指定番号取得インタフェースを表示するように配置され、ここで、指定番号取得インタフェースには番号入力ボックスが含まれ、
該第一取得モジュール４０５は、ユーザが前記指定番号取得インタフェースにおける番号入力ボックスに入力した番号を取得し、ユーザが入力した番号をユーザが確定した指定番号にするように配置されている。
【００６７】
また一つの選択可能な実施例において、図１１に示すように、該装置は更に第三表示モジュール４０６と第二検出モジュール４０７とを備えている。
【００６８】
該第三表示モジュール４０６は、指定番号取得インタフェースを表示するように配置され、ここで、指定番号取得インタフェースには一つから複数に至る所定番号が含まれ、
該第二検出モジュール４０７は、ユーザが指定番号取得インタフェースに表示されている所定番号から選択した番号を検出し、ユーザが選択した番号をユーザが確定した指定番号にするように配置されている。
【００６９】
また一つの選択可能な実施例において、図１２に示すように、該装置は更に第二取得モジュール４０８を備えている。
【００７０】
該第二取得モジュール４０８は、ユーザが設置した一つから複数に至る所定番号を取得するように配置され、
第三表示モジュール４０６は、一つから複数に至る所定番号を含む指定番号取得インタフェースを表示するように配置されている。
【００７１】
また一つの選択可能な実施例において、第二取得モジュール４０８は、所定番号入力ボックスを表示し、ユーザが所定番号入力ボックスに入力した所定番号を取得する、又は、連絡帳に含まれている番号を表示し、ユーザが連絡帳に含まれている番号から選択した番号を所定番号にするように配置されている。
【００７２】
本発明の実施例が提供する装置では、着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。
【００７３】
上述した実施例における装置に関しては、それぞれのモジュールが操作を実行する具体的な方法は既に関連する実施例において詳細な説明を行っており、ここでは繰り返し説明しない。
【００７４】
図１３は一つの例示的な実施例にかかる端末９００のブロック図で、該端末９００は上述した図１、図２及び図５に対応する実施例のいずれか一つの実施例が提供する呼び出し転送方法の実行に用いられる。例えば、端末９００は携帯電話、コンピュータ、デジタル放送端末、メッセージ送受信設備、ゲームコンソール、タブレット設備、医療設備、フィットネス設備、パーソナルデジタルアシスタント等であってもよい。
【００７５】
図１３に示すように、端末９００は、処理ユニット９０２、メモリ９０４、電源ユニット９０６、マルチメディアユニット９０８、オーディオユニット９１０、入力／出力（Ｉ／Ｏ）のインタフェース９１２、センサユニット９１４、及び通信ユニット９１６の一つ又は複数ユニットを含むことができる。
【００７６】
処理ユニット９０２は通常の場合、例えば表示、電話の呼び出し、データ通信、カメラ操作及び記録操作と関わりのある、端末９００の全ての操作を制御する。処理ユニット９０２は一つ又は複数のプロセッサ９２０でコマンドを実行することができ、これにより、上述した方法の全部又は一部ステップを完成する。また、処理ユニット９０２はその他ユニットとのやり取りをするため、一つ又は複数のモジュールを含むことができる。例えば、処理ユニット９０２はマルチメディアユニット９０８とのやり取りをするため、マルチメディアモジュールを含むことができる。
【００７７】
メモリ９０４は端末９００において、操作を実行するため、各種のデータを記憶するように配置されている。これらのデータの例示は、端末９００において操作する任意のアプリケーションプログラム又は方法のコマンド、連絡先データ、電話帳データ、メッセージ、画像、映像等を含む。メモリ９０４は、スタティックランダムアクセスメモリ（ＳＲＡＭ）、電気的に書き込みと消去が可能なＲＯＭ（ＥＥＰＲＯＭ）、電気的に書き込み可能なＲＯＭ（ＥＰＲＯＭ）、書き込み可能メモリ（ＰＲＯＭ）、読み出し専用メモリ（ＲＯＭ）、磁気メモリ、フラッシュメモリ、磁気ディスク又は光ディスク等の全ての種類の揮発性もしくは不揮発性メモリ、又はそれらの組み合わせにより実現することができる。
【００７８】
電源ユニット９０６は端末９００における各種ユニットに給電する。電源ユニット９０６は電源管理システム、一つ又は複数の電源、並びにその他の端末９００のため、電力の生成、管理及び分配と関連するユニットを含むことができる。
【００７９】
マルチメディアユニット９０８は、前記端末９００とユーザとの間で出力インタフェースを提供するスクリーンを含む。一部の実施例において、スクリーンは液晶ディスプレイ（ＬＣＤ）及びタッチパネル（ＴＰ）を含むことができる。スクリーンがタッチパネルを含む場合、ユーザからの入力信号を受信するために、スクリーンはタッチスクリーンとして実現することができる。タッチ、スワイプ及びタッチパネル上の手の動きを感知するために、タッチパネルは一つ又は複数のタッチセンサを含んでいる。前記タッチセンサはタッチ又はスワイプ操作の境目を感知するだけでなく、前記タッチ又はスワイプ操作の持続時間及び圧力も感知する。一部の実施例において、マルチメディアユニット９０８は一つのフロントカメラ及び／又はバックカメラを含む。端末９００が、例えば撮影モード又は映像モードなどの操作モードにある場合、フロントカメラ及び／又バックカメラは外部のマルチメディアデータを受信することができる。それぞれのフロントカメラ及びバックカメラは一つの固定の光学レンズシステム又は、焦点距離及び光学ズーム機能を有するものであってもよい。
【００８０】
オーディオユニット９１０はオーディオ信号を出力及び／又は入力するように配置されている。例えば、オーディオユニット９１０は一つのマイクロフォン（ＭＩＣ）を含んでおり、端末９００が呼び出しモード、記録モード及び音声認識モードのような操作モードにある場合、マイクロフォンは外部のオーディオ信号を受信するように配置されている。受信したオーディオ信号は更にメモリ９０４に記憶されるか、又は通信ユニット９１６を経由して送信することができる。一部の実施例において、オーディオユニット９１０は更に一つの、オーディオ信号を出力するためのスピーカーを含む。
【００８１】
Ｉ／Ｏインタフェース９１２は、処理ユニット９０２と周辺インタフェースモジュールの間でインタフェースを提供し、上述した周辺インタフェースモジュールはキーボード、クリックホイール、ボタンなどであってもよい。これらのボタンにはホームページボタン、音量ボタン、起動ボタン及びロックボタンが含まれるが、これに限定されない。
【００８２】
センサユニット９１４は、端末９００に各方面の状態の評価を提供するために、一つ又は複数のセンサを含んでいる。例えば、センサユニット９１４は端末９００のオン／オフ状態、ユニットの相対位置を感知することができる。前記ユニットは例えば、端末９００のディスプレイ及びキーパッドであってもよく、センサユニット９１４は更に、端末９００又は端末９００の一つのユニットの位置変化、ユーザと端末９００の接触の有無、端末９００の方位又は加速／減速及び、端末９００の温度変化を検出することができる。センサユニット９１４は接近センサを含むことができ、これは如何なる物理的接触がない場合においても付近の物体の存在を検出するように配置されている。センサユニット９１４は更に、ＣＭＯＳ又はＣＣＤイメージセンサのような光センサを含むことができ、それらがイメージング適用において使用される。一部の実施例において、該センサユニット９１４は更に、加速度センサ、ジャイロセンサ、磁気センサ、圧力センサ又は温度センサを含むことができる。
【００８３】
通信ユニット９１６は、端末９００がその他設備と有線又は無線方式の通信をするように配置されている。端末９００は、例えばＷｉＦｉ、２Ｇ若しくは３Ｇ、又はそれらの組み合わせなどの、通信規格に準拠した無線ネットワークに接続することができる。一つの例示的な実施例において、通信ユニット９１６は放送チャンネルを経由して、外部の放送管理システムからの放送信号又は、放送関連情報を受信する。一つの例示的な実施例において、前記通信ユニット９１６は更に近距離通信を促進するための近距離無線通信（ＮＦＣ）モジュールを含んでいる。例えば、ＮＦＣモジュールは、無線周波数識別（ＲＦＩＤ）技術、赤外線データ協会（ＩｒＤＡ）技術、超広帯域（ＵＷＢ）技術、ブルートゥース（ＢＴ）技術及びその他技術に基づき、実現することが可能である。
【００８４】
例示的な実施例において、端末９００は一つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他電子デバイスにより実現することができ、上述した図１、図２及び図５に対応する実施例のいずれか一つの実施例が提供する呼び出し転送方法を実行するために使用される。
【００８５】
本発明の実施例が提供する端末では、着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。
【００８６】
例示的な実施例において、例えばコマンドを含むメモリ９０４のような、コマンドを含む非臨時的なコンピュータ読み取り可能な記憶媒体を提供し、上述したコマンドは端末９００のプロセッサ９２０によって実行されることで上述した方法を完成することができる。例えば、前記非臨時的なコンピュータ読み取り可能な記憶媒体はＲＯＭ、ランダムアクセスメモリ（ＲＡＭ）、ＣＤ−ＲＯＭ、磁気テープ、フロッピー（登録商標）ディスク及び光データ記憶装置などであってもよい。
【００８７】
非臨時的なコンピュータ読み取り可能な記憶媒体では、前記記憶媒体のコマンドが端末のプロセッサによって実行されるとき、端末が呼び出し転送方法を実行できるようにするが、前記方法は、
着信を受信したかどうか検出し、
着信を検出した場合、着信転送オプションを含む着信インタフェースを表示し、
着信転送オプションが選択されると、着信を指定番号に対応する端末設備に転送することを含む。
【００８８】
本発明の実施例が提供するコンピュータ読み取り可能な記憶媒体は、着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。
【００８９】
当業者は明細書を検討し、ここで開示した発明を実践した後、本発明のその他の実施方案を容易に思いつくことができる。本願は本発明の全ての変更、用途又は適応性の変化を含む。これらの変更、用途又は適応性の変化は本発明の一般的な原理に従っており、本発明に未開示の本技術分野における周知技術又は慣用技術手段を含む。明細書及び実施例は例示的なものに過ぎず、本発明の真の範囲及び主旨は以下の特許請求の範囲によって示される。
【００９０】
本発明は、上記で説明した、また図面において示した精確な構造に限定されず、その範囲を逸脱しない前提のもとで種々の変更及び修正を行うことができることを理解すべきである。本発明の範囲は付された特許請求の範囲によってのみ限定される。
【図１】
2016535527.tif 000003
【図２】
2016535527.tif 000004
【図３】
2016535527.tif 000005
【図４】
2016535527.tif 000006
【図５】
2016535527.tif 000007
【図６】
2016535527.tif 000008
【図７】
2016535527.tif 000009
【図８】
2016535527.tif 000010
【図９】
2016535527.tif 000011
【図１０】
2016535527.tif 000012
【図１１】
2016535527.tif 000013
【図１２】
2016535527.tif 000014
【図１３】
2016535527.tif 000015
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
着信を受信したかどうか検出し、
着信を検出した場合、着信転送オプションを含む着信インタフェースを表示し、
前記着信転送オプションが選択されると、前記着信を指定番号に対応する端末設備に転送することを含むことを特徴とする呼び出し転送方法。
【請求項２】
請求項１に記載の方法であって、
前記着信を指定番号に対応する端末設備に転送する前に、更に、
番号入力ボックスを含む指定番号取得インタフェースを表示し、
ユーザが前記指定番号取得インタフェースにおける番号入力ボックスに入力した番号を取得し、ユーザが入力した番号をユーザが確定した指定番号にすることを含むことを特徴とする呼び出し転送方法。
【請求項３】
請求項１に記載の方法であって、
前記着信を指定番号に対応する端末設備に転送する前に、更に、
一つから複数に至る所定番号を含む指定番号取得インタフェースを表示し、
ユーザが前記指定番号取得インタフェースに表示されている所定番号から選択した番号を検出し、ユーザが選択した番号をユーザが確定した指定番号にすることを含むことを特徴とする呼び出し転送方法。
【請求項４】
請求項３に記載の方法であって、
前記指定番号取得インタフェースを表示する前に、更に、
ユーザが設置した一つから複数に至る所定番号を取得することを含み、
前記指定番号取得インタフェースを表示するステップには、
前記一つから複数に至る所定番号を含む指定番号取得インタフェースを表示することが含まれることを特徴とする呼び出し転送方法。
【請求項５】
請求項４に記載の方法であって、
前記ユーザが設置した一つから複数に至る所定番号を取得するステップには、
所定番号入力ボックスを表示し、ユーザが前記所定番号入力ボックスに入力した所定番号を取得し、
又は、連絡帳に含まれている番号を表示し、ユーザが前記連絡帳に含まれている番号から選択した番号を所定番号にすることが含まれることを特徴とする呼び出し転送方法。
【請求項６】
着信を受信したかどうか検出するための第一検出モジュールと、
着信を検出したとき、着信転送オプションを含む着信インタフェースを表示するための第一表示モジュールと、
前記着信転送オプションが選択されると、前記着信を前記指定番号に対応する端末設備に転送するための転送モジュールとを備えることを特徴とする呼び出し転送装置。
【請求項７】
請求項６に記載の装置であって、更に、
番号入力ボックスが含まれる指定番号取得インタフェースを表示するための第二表示モジュールと、
ユーザが前記指定番号取得インタフェースにおける番号入力ボックスに入力した番号を取得し、ユーザが入力した番号をユーザが確定した指定番号にするための第一取得モジュールとを備えることを特徴とする呼び出し転送装置。
【請求項８】
請求項６に記載の装置であって、更に、
一つから複数に至る所定番号を含む指定番号取得インタフェースを表示するための第三表示モジュールと、
ユーザが前記指定番号取得インタフェースに表示されている所定番号から選択した番号を検出し、ユーザが選択した番号をユーザが確定した指定番号にするための第二検出モジュールとを備えることを特徴とする呼び出し転送装置。
【請求項９】
請求項８に記載の装置であって、更に、
ユーザが設置した一つから複数に至る所定番号を取得するための第二取得モジュールを備え、
前記第三表示モジュールは、前記一つから複数に至る所定番号を含む指定番号取得インタフェースを表示することを特徴とする呼び出し転送装置。
【請求項１０】
請求項９に記載の装置であって、
前記第二取得モジュールは、
所定番号入力ボックスを表示し、ユーザが前記所定番号入力ボックスに入力した所定番号を取得し、又は、
連絡帳に含まれている番号を表示し、ユーザが前記連絡帳に含まれている番号から選択した番号を所定番号にすることを特徴とする呼び出し転送装置。
【請求項１１】
呼び出し転送端末であって、
プロセッサと、
プロセッサが実行可能なコマンドを記憶するためのメモリとを備え、
ここで、前記プロセッサは、
着信を受信したかどうか検出し、
着信を検出した場合、着信転送オプションを含む着信インタフェースを表示し、
前記着信転送オプションが選択されると、前記着信を指定番号に対応する端末設備に転送するように配置されることを特徴とする呼び出し転送端末。
【請求項１２】
プロセッサに実行されることにより、請求項１から請求項５のいずれかに記載の方法を実現することを特徴とするプログラム。
【請求項１３】
請求項１２に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本願は出願番号が２０１４１０３６６０２９．１であり、出願日が２０１４年７月２９日である中国特許出願に基づくものであり、当該中国特許出願の優先権を主張する。当該中国特許出願の全ての内容は参照として本願で引用する。
【０００２】
本発明は通信技術分野に関わり、特に呼び出し転送方法、装置及び端末、プログラム及び記録媒体に関わる。
【背景技術】
【０００３】
通信技術の発展に伴い、益々多くの人が携帯電話などの端末設備を使って通信を行うようになった。電話に出られないときに、ユーザが着信をタイムリーに処理できるようにするために、端末設備において如何に呼び出しを転送するかは、ユーザの通信体験を高めるかなめである。
【０００４】
関連技術において呼び出し転送の方法が提供され、該方法において呼び出し転送機能を予めオンにしておいた場合、着信があったとき、現在通話中である、又は一定時間において電話に出ないなどの呼び出し転送の条件を満たしている場合、いずれも自動的に着信の呼び出しを転送する。
【発明の概要】
【発明が解決しようとする課題】
【０００５】
本発明を実現する過程において、発明者は当該技術には少なくとも以下のような問題が存在することに気がついた。
【０００６】
呼び出し転送機能を予めオンにしたため、着信を受信したとき、呼び出し転送の条件を満たす場合、自動的に呼び出しを転送する。しかし、ユーザが何れかの原因で一時電話に出られない可能性があるので、既存の呼び出し転送方法はスマートでなく、柔軟性が低く、呼び出し転送の効果が思わしくない。
【課題を解決するための手段】
【０００７】
関連技術に存在する問題を解決するために、本発明は呼び出し転送方法及び装置、プログラム及び記録媒体を提供する。
【０００８】
本発明の実施例の第一の態様によれば、呼び出し転送方法であって、前記方法は、
着信を受信したかどうか検出し、
着信を検出した場合、着信転送オプションを含む着信インタフェースを表示し、
前記着信転送オプションが選択されると、前記着信を前記指定番号に対応する端末設備に転送することを含む呼び出し転送方法が提供される。
【０００９】
第一の態様と組み合わせられる、第一の態様の第一の可能な実現形態においては、前記着信を指定番号に対応する端末設備に転送する前に、更に、
指定番号取得インタフェースを表示し、ここで、前記指定番号取得インタフェースには番号入力ボックスが含まれ、
ユーザが前記指定番号取得インタフェースにおける番号入力ボックスに入力した番号を取得し、ユーザが入力した番号をユーザが確定した指定番号にすることを含む。
【００１０】
第一の態様と組み合わせられる、第一の態様の第二の可能な実現形態においては、前記着信を指定番号に対応する端末設備に転送する前に、更に、
指定番号取得インタフェースを表示し、ここで、前記指定番号取得インタフェースには一つから複数に至る所定番号が含まれ、
ユーザが前記指定番号取得インタフェースに表示されている所定番号から選択した番号を検出し、ユーザが選択した番号をユーザが確定した指定番号にすることを含む。
【００１１】
第一の態様の第二の可能な実現形態と組み合わせられる、第一の態様の第三の可能な実現形態においては、前記指定番号取得インタフェースを表示する前に、更に、
ユーザが設置した一つから複数に至る所定番号を取得することを含み、
前記指定番号取得インタフェースを表示するステップには、
前記一つから複数に至る所定番号を含む指定番号取得インタフェースを表示することが含まれる。
【００１２】
第一の態様の第三の可能な実現形態と組み合わせられる、第一の態様の第四の可能な実現形態においては、前記ユーザが設置した一つから複数に至る所定番号を取得するステップには、
所定番号入力ボックスを表示し、ユーザが前記所定番号入力ボックスに入力した所定番号を取得し、
又は、連絡帳に含まれている番号を表示し、ユーザが前記連絡帳に含まれている番号から選択した番号を、所定番号にすることが含まれる。
【００１３】
本発明の実施例の第二の態様によれば、呼び出し転送装置であって、前記装置は、
着信を受信したかどうか検出するための第一検出モジュールと、
着信を検出したとき、着信転送オプションを含む着信インタフェースを表示するための第一表示モジュールと、
前記着信転送オプションが選択されると、前記着信を前記指定番号に対応する端末設備に転送するための転送モジュールとを備える呼び出し転送装置が提供される。
【００１４】
第二の態様と組み合わせられる、第二の態様の第一の可能な実現形態においては、前記装置は更に、
番号入力ボックスが含まれる指定番号取得インタフェースを表示するための第二表示モジュールと、
ユーザが前記指定番号取得インタフェースにおける番号入力ボックスに入力した番号を取得し、ユーザが入力した番号をユーザが確定した指定番号にするための第一取得モジュールとを備えている。
【００１５】
第二の態様と組み合わせられる、第二の態様の第二の可能な実現形態においては、前記装置は更に、
一つから複数に至る所定番号が含まれる指定番号取得インタフェースを表示するための第三表示モジュールと、
ユーザが前記指定番号取得インタフェースに表示されている所定番号から選択した番号を検出し、ユーザが選択した番号をユーザが確定した指定番号にするための第二検出モジュールとを備えている。
【００１６】
第二の態様の第二の可能な実現形態と組み合わせられる、第二の態様の第三の可能な実現形態においては、前記装置は更に、
ユーザが設置した一つから複数に至る所定番号を取得するための第二取得モジュールと、
前記一つから複数に至る所定番号を含む指定番号取得インタフェースを表示するための前記第三表示モジュールとを備えている。
【００１７】
第二の態様の第三の可能な実現形態と組み合わせられる、第二の態様の第四の可能な実現形態においては、前記第二取得モジュールは、所定番号入力ボックスを表示し、ユーザが前記所定番号入力ボックスに入力した所定番号を取得し、又は、連絡帳に含まれている番号を表示し、ユーザが前記連絡帳に含まれている番号から選択した番号を所定番号にする。
【００１８】
本発明の実施例の第三の態様によれば、呼び出し転送端末であって、前記端末は、
プロセッサと、
プロセッサが実行可能なコマンドを記憶するためのメモリとを備え、
ここで、前記プロセッサは、
着信を受信したかどうか検出し、
着信を検出した場合、着信転送オプションを含む着信インタフェースを表示し、
前記着信転送オプションが選択されると、前記着信を指定番号に対応する端末設備に転送するように配置される呼び出し転送端末が提供される。
【００１９】
本発明のその他の実施態様は、
プロセッサに実行されることにより、前記方法を実現することを特徴とするプログラムを提供する。
【００２０】
本発明のその他の実施態様は、
前記プログラムが記録された記録媒体を提供する。
【００２１】
本発明の実施例が提供する技術方案は下記のような有益な効果をもたらした。
【００２２】
着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。
【００２３】
また、一般的な説明及び以下の詳細な説明は単なる例示及び解釈に過ぎず、本発明を限定するものではないことを理解すべきである。
【図面の簡単な説明】
【００２４】
ここでの図面は明細書に取り込まれて本明細書の一部を構成し、本発明に合致する実施例を示し、また、明細書と共に本発明の原理の解釈に用いられる。
【図１】一つの例示的な実施例にかかる呼び出し転送方法のフローチャートである。
【図２】一つの例示的な実施例にかかる呼び出し転送方法のフローチャートである。
【図３】一つの例示的な実施例にかかる着信インタフェースの説明図である。
【図４】一つの例示的な実施例にかかる着信インタフェースの説明図である。
【図５】一つの例示的な実施例にかかる呼び出し転送方法のフローチャートである。
【図６】一つの例示的な実施例にかかる指定番号取得インタフェースの説明図である。
【図７】一つの例示的な実施例にかかる所定番号の取得インタフェースの説明図である。
【図８】一つの例示的な実施例にかかる所定番号の取得インタフェースの説明図である。
【図９】一つの例示的な実施例にかかる呼び出し転送装置のブロック図である。
【図１０】一つの例示的な実施例にかかる呼び出し転送装置のブロック図である。
【図１１】一つの例示的な実施例にかかる呼び出し転送装置のブロック図である。
【図１２】一つの例示的な実施例にかかる呼び出し転送装置のブロック図である。
【図１３】一つの例示的な実施例にかかる端末のブロック図である。
【発明を実施するための形態】
【００２５】
ここでは例示的な実施例について詳細な説明を行う。このような例示は図面に表される。以下における説明が図面に関わるとき、特に示さない限り、異なる図面における同じ数字は同じ又は類似の要素を表す。以下の例示的な実施例において説明される実施形態は本発明と相一致する全ての実施形態を代表するものではない。これらは特許請求の範囲において詳述した、本発明の一部と相一致する装置と方法の例等に過ぎない。
【００２６】
図１は一つの例示的な実施例にかかる呼び出し転送方法のフローチャートである。該呼び出し転送方法は、通話が可能な端末に適用される。図１に示すように、該呼び出し転送方法は以下のようなステップを含む。
【００２７】
ステップ１０１において、着信を受信したかどうか検出し、
ステップ１０２において、着信を検出した場合、着信転送オプションを含む着信インタフェースを表示し、
ステップ１０３において、着信転送オプションが選択されると、着信を指定番号に対応する端末設備に転送する。
【００２８】
選択可能な実施例において、着信を指定番号に対応する端末設備に転送する前に、更に、
指定番号取得インタフェースを表示し、ここで、指定番号取得インタフェースには番号入力ボックスが含まれ、
ユーザが指定番号取得インタフェースにおける番号入力ボックスに入力した番号を取得し、ユーザが入力した番号をユーザが確定した指定番号にすることを含む。
【００２９】
また選択可能な実施例において、着信を指定番号に対応する端末設備に転送する前に、更に、
指定番号取得インタフェースを表示し、ここで、指定番号取得インタフェースには一つから複数に至る所定番号が含まれ、
ユーザが指定番号取得インタフェースに表示されている所定番号から選択した番号を検出し、ユーザが選択した番号をユーザが確定した指定番号にすることを含む。
【００３０】
また、選択可能な実施例において、指定番号取得インタフェースを表示する前に、更に、
ユーザが設置した一つから複数に至る所定番号を取得することを含み、
指定番号取得インタフェースを表示するステップには、
一つから複数に至る所定番号を含む指定番号取得インタフェースを表示することが含まれる。
【００３１】
また、選択可能な実施例において、ユーザが設置した一つから複数に至る所定番号を取得するステップには、
所定番号入力ボックスを表示し、ユーザが所定番号入力ボックスに入力した所定番号を取得する、
又は、連絡帳に含まれている番号を表示し、ユーザが連絡帳に含まれている番号から選択した番号を所定番号にすることが含まれる。
【００３２】
本発明の実施例が提供する方法は、着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。
【００３３】
図２は一つの例示的な実施例にかかる呼び出し転送方法のフローチャートである。図２に示すように、該呼び出し転送方法は、通話が可能な端末に適用されており、以下のようなステップを含む。
【００３４】
ステップ２０１において、着信を受信したかどうか検出する。
【００３５】
本実施例は着信を受信したかどうか検出する方法について具体的に限定せず、端末に合わせて使用する無線通信技術、及び端末内の通信モジュールで検出することが含まれるが、これに限定されない。
【００３６】
ステップ２０２において、着信を検出した場合、着信転送オプションを含む着信インタフェースを表示する。
【００３７】
本実施例において、着信インタフェースに表示される内容について限定せず、応答オプション、拒否オプション及び着信転送オプションが含まれるが、これに限定されない。選択的に、誰からの着信であるかユーザが分かるようにするため、端末は検出した着信に基づいて、対応する連絡先を確定し、これにより、着信インタフェースにおいて着信の連絡先情報を表示することができるが、本実施例はこれについて具体的に限定しない。
【００３８】
例えば、図３に示すように、図３にはインタフェースの一番上に着信の連絡先情報を表示している。また、インタフェースの一番下に応答オプション、拒否オプション及び着信転送オプションを表示している。ユーザは図３に示される三つのオプションをクリックすることで、異なる操作を行うことができ、本実施例はこれについて具体的に限定しない。例えば、ユーザが応答オプションをクリックした場合は電話に出ることができ、ユーザが拒否オプションをクリックした場合は電話を拒否することができ、またユーザが着信転送オプションをクリックした場合は着信の呼び出しを転送することができる。
【００３９】
ステップ２０３において、着信転送オプションが選択されると、指定番号取得インタフェースを表示し、ここで、指定番号取得インタフェースには番号入力ボックスが含まれている。
【００４０】
上述したステップ２０２を通じて、着信転送オプションを含む着信インタフェースを表示した場合、着信インタフェースには着信転送オプションが含まれているため、ユーザは着信転送オプションを選択して着信の呼び出しを転送することができる。着信転送オプションが選択されたことを検出した場合、端末は指定番号取得インタフェースを表示することができる。ここで、指定番号取得インタフェースは番号入力ボックスを含むことができる。勿論、指定番号取得インタフェースはその他の内容を含むこともでき、本実施例はこれについて具体的に限定しない。
【００４１】
例えば、図４に示すように、図４に示した指定番号取得インタフェースには、番号入力ボックス、確定オプション及び取り消しオプションが含まれている。
【００４２】
ステップ２０４において、ユーザが指定番号取得インタフェースにおける番号入力ボックスに入力した番号を取得し、ユーザが入力した番号をユーザが確定した指定番号にする。
【００４３】
本実施例は、ユーザが指定番号取得インタフェースにおける番号入力ボックスに入力した番号を取得する方法について具体的に限定せず、ユーザが指定番号取得インタフェースにおける番号入力ボックスに指定番号を入力し、確定オプションをクリックしたことを検出した場合、ユーザが入力した指定番号を取得することが含まれるが、これに限定されない。また、ユーザが入力した指定番号を取得した場合、ユーザが入力した番号をユーザが確定した指定番号にすることができ、本実施例はこれについて具体的に限定しない。
【００４４】
ステップ２０５において、着信を指定番号に対応する端末設備に転送する。
【００４５】
本実施例は着信を指定番号に対応する端末設備に転送する方法について具体的に限定せず、指定番号に基づいて対応する端末設備を確定して、着信を指定番号に対応する端末設備に転送し、対応する端末設備を使用するユーザが電話に出るかどうか選択することが含まれるが、これに限定されない。ここで、着信を指定番号に対応する端末設備に転送した場合、対応する端末設備を使用するユーザは電話に出ることを選択するか、又は拒否することを選択することもできる。勿論、呼び出し転送を選択することもでき、本実施例はこれについて具体的に限定しない。具体的な実現プロセスは、本実施例の上述したステップの内容を参考にすることができ、ここでは繰り返し説明しない。
【００４６】
本発明の実施例が提供する方法は、着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。
【００４７】
図５は一つの例示的な実施例にかかる呼び出し転送方法のフローチャートである。図５に示すように、該呼び出し転送方法は通話が可能な端末に適用されており、該呼び出し転送方法は以下のようなステップを含む。
【００４８】
ステップ３０１において、着信を受信したかどうか検出する。
【００４９】
本実施例は着信を受信したかどうか検出する方法について具体的に限定せず、具体的なプロセスは上述した図２に対応する実施例のステップ２０１の内容を参考にすることができ、ここでは繰り返し説明しない。
【００５０】
ステップ３０２において、着信を検出した場合、着信転送オプションを含む着信インタフェースを表示する。
【００５１】
本実施例は、着信転送オプションを含む着信インタフェースを表示する方法について具体的に限定せず、具体的なプロセスは上述した図２に対応する実施例のステップ２０２の内容を参考にすることができ、ここでは繰り返し説明しない。
【００５２】
ステップ３０３において、着信転送オプションが選択されると、指定番号取得インタフェースを表示し、ここで、指定番号取得インタフェースには一つから複数に至る所定番号が含まれている。
【００５３】
上述したステップ３０２を通じて、着信転送オプションを含む着信インタフェースを表示した場合、着信インタフェースには着信転送オプションが含まれているため、ユーザは着信転送オプションを選択して着信の呼び出しを転送することができる。着信転送オプションが選択されたことを検出した場合、端末は指定番号取得インタフェースを表示することができる。本実施例では、指定番号取得インタフェースを表示する方法について具体的に限定せず、ユーザが設置した一つから複数に至る所定番号を取得し、一つから複数に至る所定番号を含む指定番号取得インタフェースを表示することが含まれるが、これに限定されない。ここで、指定番号取得インタフェースは、一つから複数に至る所定番号以外にもその他の内容を含むこともでき、本実施例はこれについて具体的に限定しない。
【００５４】
例えば、図６に示すように、図６に示した指定番号取得インタフェースはリスト形式で表示する一つから複数に至る所定番号を含む。
【００５５】
また、ユーザが設置した一つから複数に至る所定番号を取得する方法について、本実施例は具体的に限定せず、以下のような二つの取得方法が含まれるが、これに限定されない。
【００５６】
第一の取得方法は、所定番号入力ボックスを表示し、ユーザが所定番号入力ボックスに入力した所定番号を取得する方法である。
【００５７】
例えば図７に示すように、第一の取得方法は、端末に所定番号取得インタフェースを表示する。ここで、表示される所定番号取得インタフェースには、所定番号入力ボックスが含まれ、ユーザは所定番号入力ボックスに所定番号を入力することができる。
【００５８】
第二の取得方法は、連絡帳に含まれている番号を表示し、ユーザが連絡帳に含まれている番号から選択した番号を所定番号にする方法である。
【００５９】
図８に示すように、第二の取得方法にも、端末に所定番号取得インタフェースを表示する。所定番号取得インタフェースの中央に連絡帳の全ての番号を表示し、ユーザは連絡帳の全ての番号の中から選択することができ、これにより、端末はユーザが選択した番号を所定番号にすることができる。
【００６０】
ステップ３０４において、ユーザが指定番号取得インタフェースに表示されている所定番号から選択した番号を検出し、ユーザが選択した番号をユーザが確定した指定番号にする。
【００６１】
指定番号取得インタフェースに表示される所定番号はリスト形式で表示することができるため、それぞれのリスト項目がいずれも一つの所定番号に対応する。従って、ユーザが指定番号取得インタフェースに表示されている所定番号から選択した番号を検出する方法について、本実施例は具体的に限定せず、ユーザがクリックしたリスト項目を検出し、検出した、ユーザがクリックしたリスト項目に対応する所定番号を、ユーザが選択した番号にすることが含まれるが、これに限定されない。ユーザが指定番号取得インタフェースに表示されている所定番号から選択した番号を検出した場合、ユーザが選択した番号をユーザが確定した指定番号にすることができる。
【００６２】
ステップ３０５において、着信を指定番号に対応する端末設備に転送する。
【００６３】
本実施例は着信を指定番号に対応する端末設備に転送する方法について具体的に限定せず、具体的なプロセスは上述した図２に対応する実施例のステップ２０５の内容を参考にすることができ、ここでは繰り返し説明しない。
【００６４】
本発明の実施例が提供する方法は、着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。
【００６５】
図９は一つの例示的な実施例にかかる呼び出し転送装置のブロック図で、該装置は通話が可能な端末に適用されており、該装置は上述した図１、図２及び図５に対応する実施例のいずれか一つの実施例が提供する呼び出し転送方法の実行に用いることができる。図９に示すように、該装置は第一検出モジュール４０１、第一表示モジュール４０２及び転送モジュール４０３を備えている。
【００６６】
該第一検出モジュール４０１は、着信を受信したかどうか検出するように配置され、
該第一表示モジュール４０２は、着信を検出した場合、着信転送オプションを含む着信インタフェースを表示するように配置され、
該転送モジュール４０３は、着信を指定番号に対応する端末設備に転送するように配置されている。
【００６７】
一つの選択可能な実施例において、図１０に示すように、該装置は更に第二表示モジュール４０４と第一取得モジュール４０５とを備えている。
【００６８】
該第二表示モジュール４０４は、指定番号取得インタフェースを表示するように配置され、ここで、指定番号取得インタフェースには番号入力ボックスが含まれ、
該第一取得モジュール４０５は、ユーザが前記指定番号取得インタフェースにおける番号入力ボックスに入力した番号を取得し、ユーザが入力した番号をユーザが確定した指定番号にするように配置されている。
【００６９】
また一つの選択可能な実施例において、図１１に示すように、該装置は更に第三表示モジュール４０６と第二検出モジュール４０７とを備えている。
【００７０】
該第三表示モジュール４０６は、指定番号取得インタフェースを表示するように配置され、ここで、指定番号取得インタフェースには一つから複数に至る所定番号が含まれ、
該第二検出モジュール４０７は、ユーザが指定番号取得インタフェースに表示されている所定番号から選択した番号を検出し、ユーザが選択した番号をユーザが確定した指定番号にするように配置されている。
【００７１】
また一つの選択可能な実施例において、図１２に示すように、該装置は更に第二取得モジュール４０８を備えている。
【００７２】
該第二取得モジュール４０８は、ユーザが設置した一つから複数に至る所定番号を取得するように配置され、
第三表示モジュール４０６は、一つから複数に至る所定番号を含む指定番号取得インタフェースを表示するように配置されている。
【００７３】
また一つの選択可能な実施例において、第二取得モジュール４０８は、所定番号入力ボックスを表示し、ユーザが所定番号入力ボックスに入力した所定番号を取得する、又は、連絡帳に含まれている番号を表示し、ユーザが連絡帳に含まれている番号から選択した番号を所定番号にするように配置されている。
【００７４】
本発明の実施例が提供する装置では、着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。
【００７５】
上述した実施例における装置に関しては、それぞれのモジュールが操作を実行する具体的な方法は既に関連する実施例において詳細な説明を行っており、ここでは繰り返し説明しない。
【００７６】
図１３は一つの例示的な実施例にかかる端末９００のブロック図で、該端末９００は上述した図１、図２及び図５に対応する実施例のいずれか一つの実施例が提供する呼び出し転送方法の実行に用いられる。例えば、端末９００は携帯電話、コンピュータ、デジタル放送端末、メッセージ送受信設備、ゲームコンソール、タブレット設備、医療設備、フィットネス設備、パーソナルデジタルアシスタント等であってもよい。
【００７７】
図１３に示すように、端末９００は、処理ユニット９０２、メモリ９０４、電源ユニット９０６、マルチメディアユニット９０８、オーディオユニット９１０、入力／出力（Ｉ／Ｏ）のインタフェース９１２、センサユニット９１４、及び通信ユニット９１６の一つ又は複数ユニットを含むことができる。
【００７８】
処理ユニット９０２は通常の場合、例えば表示、電話の呼び出し、データ通信、カメラ操作及び記録操作と関わりのある、端末９００の全ての操作を制御する。処理ユニット９０２は一つ又は複数のプロセッサ９２０でコマンドを実行することができ、これにより、上述した方法の全部又は一部ステップを完成する。また、処理ユニット９０２はその他ユニットとのやり取りをするため、一つ又は複数のモジュールを含むことができる。例えば、処理ユニット９０２はマルチメディアユニット９０８とのやり取りをするため、マルチメディアモジュールを含むことができる。
【００７９】
メモリ９０４は端末９００において、操作を実行するため、各種のデータを記憶するように配置されている。これらのデータの例示は、端末９００において操作する任意のアプリケーションプログラム又は方法のコマンド、連絡先データ、電話帳データ、メッセージ、画像、映像等を含む。メモリ９０４は、スタティックランダムアクセスメモリ（ＳＲＡＭ）、電気的に書き込みと消去が可能なＲＯＭ（ＥＥＰＲＯＭ）、電気的に書き込み可能なＲＯＭ（ＥＰＲＯＭ）、書き込み可能メモリ（ＰＲＯＭ）、読み出し専用メモリ（ＲＯＭ）、磁気メモリ、フラッシュメモリ、磁気ディスク又は光ディスク等の全ての種類の揮発性もしくは不揮発性メモリ、又はそれらの組み合わせにより実現することができる。
【００８０】
電源ユニット９０６は端末９００における各種ユニットに給電する。電源ユニット９０６は電源管理システム、一つ又は複数の電源、並びにその他の端末９００のため、電力の生成、管理及び分配と関連するユニットを含むことができる。
【００８１】
マルチメディアユニット９０８は、前記端末９００とユーザとの間で出力インタフェースを提供するスクリーンを含む。一部の実施例において、スクリーンは液晶ディスプレイ（ＬＣＤ）及びタッチパネル（ＴＰ）を含むことができる。スクリーンがタッチパネルを含む場合、ユーザからの入力信号を受信するために、スクリーンはタッチスクリーンとして実現することができる。タッチ、スワイプ及びタッチパネル上の手の動きを感知するために、タッチパネルは一つ又は複数のタッチセンサを含んでいる。前記タッチセンサはタッチ又はスワイプ操作の境目を感知するだけでなく、前記タッチ又はスワイプ操作の持続時間及び圧力も感知する。一部の実施例において、マルチメディアユニット９０８は一つのフロントカメラ及び／又はバックカメラを含む。端末９００が、例えば撮影モード又は映像モードなどの操作モードにある場合、フロントカメラ及び／又バックカメラは外部のマルチメディアデータを受信することができる。それぞれのフロントカメラ及びバックカメラは一つの固定の光学レンズシステム又は、焦点距離及び光学ズーム機能を有するものであってもよい。
【００８２】
オーディオユニット９１０はオーディオ信号を出力及び／又は入力するように配置されている。例えば、オーディオユニット９１０は一つのマイクロフォン（ＭＩＣ）を含んでおり、端末９００が呼び出しモード、記録モード及び音声認識モードのような操作モードにある場合、マイクロフォンは外部のオーディオ信号を受信するように配置されている。受信したオーディオ信号は更にメモリ９０４に記憶されるか、又は通信ユニット９１６を経由して送信することができる。一部の実施例において、オーディオユニット９１０は更に一つの、オーディオ信号を出力するためのスピーカーを含む。
【００８３】
Ｉ／Ｏインタフェース９１２は、処理ユニット９０２と周辺インタフェースモジュールの間でインタフェースを提供し、上述した周辺インタフェースモジュールはキーボード、クリックホイール、ボタンなどであってもよい。これらのボタンにはホームページボタン、音量ボタン、起動ボタン及びロックボタンが含まれるが、これに限定されない。
【００８４】
センサユニット９１４は、端末９００に各方面の状態の評価を提供するために、一つ又は複数のセンサを含んでいる。例えば、センサユニット９１４は端末９００のオン／オフ状態、ユニットの相対位置を感知することができる。前記ユニットは例えば、端末９００のディスプレイ及びキーパッドであってもよく、センサユニット９１４は更に、端末９００又は端末９００の一つのユニットの位置変化、ユーザと端末９００の接触の有無、端末９００の方位又は加速／減速及び、端末９００の温度変化を検出することができる。センサユニット９１４は接近センサを含むことができ、これは如何なる物理的接触がない場合においても付近の物体の存在を検出するように配置されている。センサユニット９１４は更に、ＣＭＯＳ又はＣＣＤイメージセンサのような光センサを含むことができ、それらがイメージング適用において使用される。一部の実施例において、該センサユニット９１４は更に、加速度センサ、ジャイロセンサ、磁気センサ、圧力センサ又は温度センサを含むことができる。
【００８５】
通信ユニット９１６は、端末９００がその他設備と有線又は無線方式の通信をするように配置されている。端末９００は、例えばＷｉＦｉ、２Ｇ若しくは３Ｇ、又はそれらの組み合わせなどの、通信規格に準拠した無線ネットワークに接続することができる。一つの例示的な実施例において、通信ユニット９１６は放送チャンネルを経由して、外部の放送管理システムからの放送信号又は、放送関連情報を受信する。一つの例示的な実施例において、前記通信ユニット９１６は更に近距離通信を促進するための近距離無線通信（ＮＦＣ）モジュールを含んでいる。例えば、ＮＦＣモジュールは、無線周波数識別（ＲＦＩＤ）技術、赤外線データ協会（ＩｒＤＡ）技術、超広帯域（ＵＷＢ）技術、ブルートゥース（ＢＴ）技術及びその他技術に基づき、実現することが可能である。
【００８６】
例示的な実施例において、端末９００は一つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他電子デバイスにより実現することができ、上述した図１、図２及び図５に対応する実施例のいずれか一つの実施例が提供する呼び出し転送方法を実行するために使用される。
【００８７】
本発明の実施例が提供する端末では、着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。
【００８８】
例示的な実施例において、例えばコマンドを含むメモリ９０４のような、コマンドを含む非臨時的なコンピュータ読み取り可能な記憶媒体を提供し、上述したコマンドは端末９００のプロセッサ９２０によって実行されることで上述した方法を完成することができる。例えば、前記非臨時的なコンピュータ読み取り可能な記憶媒体はＲＯＭ、ランダムアクセスメモリ（ＲＡＭ）、ＣＤ−ＲＯＭ、磁気テープ、フロッピー（登録商標）ディスク及び光データ記憶装置などであってもよい。
【００８９】
非臨時的なコンピュータ読み取り可能な記憶媒体では、前記記憶媒体のコマンドが端末のプロセッサによって実行されるとき、端末が呼び出し転送方法を実行できるようにするが、前記方法は、
着信を受信したかどうか検出し、
着信を検出した場合、着信転送オプションを含む着信インタフェースを表示し、
着信転送オプションが選択されると、着信を指定番号に対応する端末設備に転送することを含む。
【００９０】
本発明の実施例が提供するコンピュータ読み取り可能な記憶媒体は、着信を検出したとき、着信転送オプションを含む着信インタフェースを表示し、着信転送オプションが選択されると、着信を指定番号に対応する端末設備に転送する。ユーザは、実際のニーズに合わせて着信の呼び出しを転送するかどうか選択することができるため、呼び出し転送がふさわしくない場合でも自動的に呼び出しを転送することを避けることができる。これにより、呼び出し転送方法は比較的にスマートになり、柔軟性が比較的によく、呼び出し転送の効果は比較的に優れる。
【００９１】
当業者は明細書を検討し、ここで開示した発明を実践した後、本発明のその他の実施方案を容易に思いつくことができる。本願は本発明の全ての変更、用途又は適応性の変化を含む。これらの変更、用途又は適応性の変化は本発明の一般的な原理に従っており、本発明に未開示の本技術分野における周知技術又は慣用技術手段を含む。明細書及び実施例は例示的なものに過ぎず、本発明の真の範囲及び主旨は以下の特許請求の範囲によって示される。
【００９２】
本発明は、上記で説明した、また図面において示した精確な構造に限定されず、その範囲を逸脱しない前提のもとで種々の変更及び修正を行うことができることを理解すべきである。本発明の範囲は付された特許請求の範囲によってのみ限定される。
【国際調査報告】
2016535527.tif 000016
2016535527.tif 000017
2016535527.tif 000018
2016535527.tif 000019